(57)【要約】【課題】追加加熱によって自動調理が失敗することを抑制するための技術を提供する。【解決手段】加熱調理器は、加熱対象を収容する収容庫と、収容庫内の加熱対象を加熱する加熱部と、加熱部を制御する制御部と、を備え、制御部は、自動調理のメニュー情報の中から特定の調理情報が選択される場合に、特定の調理情報に従って加熱部を制御し、特定の調理情報に従った調理が終了する場合に、加熱対象を追加で加熱するための追加加熱指示が入力されるときに、特定の調理情報を用いて得られる追加加熱情報に従って加熱部を制御する。【選択図】図４
2020186898.tif 000002
【特許請求の範囲】
【請求項１】
自動調理を実行可能な加熱調理器であって、
加熱対象を収容する収容庫と、
前記収容庫内の前記加熱対象を加熱する加熱部と、
前記加熱部を制御する制御部と、
を備え、
前記制御部は、
前記自動調理のメニュー情報の中から特定の調理情報が選択される場合に、前記特定の調理情報に従って前記加熱部を制御し、
前記特定の調理情報に従った調理が終了する場合に、前記加熱対象を追加で加熱するための追加加熱指示が入力されるときに、前記特定の調理情報を用いて得られる追加加熱情報に従って前記加熱部を制御する、
加熱調理器。
【請求項２】
前記制御部は、
前記メニュー情報の中から前記特定の調理情報が選択された後に、前記加熱部による加熱を開始するための開始指示が入力される場合に、前記特定の調理情報に従って前記加熱部を制御し、
前記開始指示と前記追加加熱指示は、同じ操作部が操作されることによって入力される、請求項１に記載の加熱調理器。
【請求項３】
前記制御部は、
前記特定の調理情報に従った調理が終了する場合に、前記加熱部による加熱を停止し、
前記特定の調理情報に従った調理が終了する場合に、計時手段による計測を開始し、
前記計時手段による計測時間が所定の第１時間に達する前に、前記操作部が操作される場合に、前記加熱対象の加熱を前記加熱部に開始させるとともに前記追加加熱情報に従って前記加熱部を制御し、
前記計測時間が前記第１時間に達した後に、前記操作部が操作される場合に、前記追加加熱情報に従った制御を実行することなく、前記加熱対象の加熱を前記加熱部に開始させる、請求項２に記載の加熱調理器。
【請求項４】
前記自動調理を実行することなく、前記加熱部が前記加熱対象を加熱している間に、前記加熱部による加熱を停止するための停止指示が入力される場合に、前記加熱調理器の電源は自動的に遮断され、
前記制御部は、
前記特定の調理情報に従った調理が終了する場合に、計時手段による計測を開始し、
前記特定の調理情報に従った調理が終了する場合に、前記加熱部による加熱を停止し、
前記計時手段による計測時間が所定の第２時間に達するまで、前記電源を遮断しない、請求項１から３のいずれか一項に記載の加熱調理器。
【請求項５】
前記制御部は、前記特定の調理情報に従った調理が終了する場合に、前記追加加熱指示と前記加熱対象に対する加熱量とが入力されるときに、前記追加加熱情報と、入力済みの加熱量と、に従って前記加熱部を制御する、請求項１から４のいずれか一項に記載の加熱調理器。
【請求項６】
前記制御部は、前記特定の調理情報に従った調理が終了する場合に、前記追加加熱指示と前記加熱対象の加熱箇所を示す情報とが入力されるときに、前記追加加熱情報と、入力済みの加熱箇所を示す情報と、に従って前記加熱部を制御する、請求項１から５のいずれか一項に記載の加熱調理器。
【発明の詳細な説明】
【技術分野】
【０００１】
本明細書で開示する技術は、自動調理を実行可能な加熱調理器に関する。
【背景技術】
【０００２】
特許文献１に開示されている加熱調理器は、グリルを備え、グリル内の食材（例えば魚）に対する自動調理を実行可能である。加熱調理器は、魚種の選択を受け付けると、データテーブルから選択された魚種の調理データを読み込む。加熱調理器は、読み込んだ調理データを利用して、グリル内の魚の調理を実行する。加熱調理器は、焼き上げ完了に近づくとユーザに報知する。加熱調理器は、報知後の所定時間内に焼き足し時間を設定するためのスイッチが操作されると、バーナを消火することなく、設定された時間だけ追加で食材を加熱する。
【先行技術文献】
【特許文献】
【０００３】
【特許文献１】特開２００６−４３０６５号公報
【発明の概要】
【発明が解決しようとする課題】
【０００４】
特許文献１の技術によれば、ユーザは、焼き足し時間を手動で設定する。ユーザが何ら基準を持たないままに自由に焼き足し時間を設定すると、食材が焦げて、調理が失敗する場合がある。
【０００５】
本明細書は、追加加熱によって自動調理が失敗することを抑制するための技術を提供する。
【課題を解決するための手段】
【０００６】
本明細書が開示する加熱調理器は、加熱対象を収容する収容庫と、前記収容庫内の前記加熱対象を加熱する加熱部と、前記加熱部を制御する制御部と、を備え、前記制御部は、前記自動調理のメニュー情報の中から特定の調理情報が選択される場合に、前記特定の調理情報に従って前記加熱部を制御し、前記特定の調理情報に従った調理が終了する場合に、前記加熱対象を追加で加熱するための追加加熱指示が入力されるときに、前記特定の調理情報を用いて得られる追加加熱情報に従って前記加熱部を制御する。
【０００７】
上記の構成によれば、加熱調理器は、追加加熱指示が入力される場合に、自動調理のメニュー情報の中から選択された特定の調理情報を用いて得られる追加加熱情報に従って加熱部を制御する。これにより、ユーザによって選択された特定の調理情報の内容に従った適切な条件（例えば、火力、時間）で、追加加熱を実行することができる。この結果、ユーザが何ら基準を持たないままに追加加熱の条件を自由に設定する構成と比較して、追加加熱によって自動調理が失敗することを抑制することができる。
【０００８】
また、制御部は、メニュー情報の中から特定の調理情報が選択された後に、加熱部による加熱を開始するための開始指示が入力される場合に、特定の調理情報に従って加熱部を制御し、開始指示と追加加熱指示は、同じ操作部が操作されることによって入力されてもよい。この構成によれば、ユーザは、自動調理を開始するための指示と、追加加熱を開始するための指示と、を同じ操作部を操作することによって入力することができる。ユーザの利便性が向上する。
【０００９】
また、制御部は、特定の調理情報に従った調理が終了する場合に、加熱部による加熱を停止し、特定の調理情報に従った調理が終了する場合に、計時手段による計測を開始し、計時手段による計測時間が所定の第１時間に達する前に、操作部が操作される場合に、加熱対象の加熱を加熱部に開始させるとともに追加加熱情報に従って加熱部を制御し、計測時間が第１時間に達した後に、操作部が操作される場合に、追加加熱情報に従った制御を実行することなく、加熱対象の加熱を加熱部に開始させてもよい。この構成によれば、計測時間が第１時間に達するまでは、追加加熱指示の入力を待機することができ、計測時間が第１時間に達した後には、追加加熱の指示は入力されないと判断して、追加加熱によらず、加熱対象の加熱を実行することができる。
【００１０】
また、自動調理を実行することなく、加熱部が加熱対象を加熱している間に、加熱部による加熱を停止するための停止指示が入力される場合に、加熱調理器の電源は自動的に遮断され、制御部は、特定の調理情報に従った調理が終了する場合に、計時手段による計測を開始し、特定の調理情報に従った調理が終了する場合に、加熱部による加熱を停止し、計時手段による計測時間が所定の第２時間に達するまで、電源を遮断しなくてもよい。即ち、加熱の停止に応じて電源が自動的に遮断される加熱調理器において、自動調理が終了し、加熱が停止する場合に、計測時間が第２時間に達するまで、電源が遮断されない。これにより、第２時間の間、追加加熱指示の入力を待機することができる。
【００１１】
また、制御部は、特定の調理情報に従った調理が終了する場合に、追加加熱指示と加熱対象に対する加熱量とが入力されるときに、追加加熱情報と、入力済みの加熱量と、に従って加熱部を制御してもよい。この構成によれば、ユーザの好みに応じて、追加加熱の加熱量を調整することができる。
【００１２】
また、制御部は、特定の調理情報に従った調理が終了する場合に、追加加熱指示と加熱対象の加熱箇所を示す情報とが入力されるときに、追加加熱情報と、入力済みの加熱箇所を示す情報と、に従って加熱部を制御してもよい。この構成によれば、ユーザの好みに応じて、追加加熱をすべき加熱箇所を調整することができる。
【図面の簡単な説明】
【００１３】
【図１】加熱調理器のブロック図を示す。
【図２】加熱調理器を手前側から見た斜視図を示す。
【図３】加熱調理器の断面図を示す。
【図４】自動調理処理のフローチャートを示す。
【図５】追加加熱処理のフローチャートを示す。
【発明を実施するための形態】
【００１４】
（第１実施例）
（加熱調理器２の構成；図１、図２、図３）
本実施例の加熱調理器２は、システムキッチンに組み込んで使用されるガス燃焼式のビルトインコンロである。加熱調理器２は、前面４ａがシステムキッチンの手前側に露出する本体４と、本体４の上部に配置されており、システムキッチンのカウンタトップに露出する天板６と、を備えている。天板６には、五徳（符号省略）上の調理容器（例えば鍋）を加熱する３個のコンロバーナ１０が設けられている。
【００１５】
また、本体４は、本体４の内部に設けられて食材を収容するグリル庫８と、本体４の前面４ａに配置されてグリル庫８を開閉するグリル扉８ａと、を備える。グリル庫８の内部には、グリル庫８に収容した加熱対象（例えば食材）を加熱する２個のグリルバーナ２０、２２（即ち、表面グリルバーナ２０と裏面グリルバーナ２２）が設けられている。
【００１６】
本体４の前面４ａにおいてグリル扉８ａの右側には、コンロ操作部１４と、コンロパネル１８と、が設けられている。コンロ操作部１４は、加熱調理器２の電源スイッチ１４ａと、３個の加熱量操作部１４ｂと、を備える。３個の加熱量操作部１４ｂは、それぞれ、３個のコンロバーナ１０に対応する。加熱量操作部１４ｂは、コンロバーナ１０の点火及び消火を行うとともに、コンロバーナ１０の加熱量の調整を行うための操作部である。加熱量操作部１４ｂは、オルタネイト型のスイッチである。ユーザによって加熱量操作部１４ｂを消火位置から点火位置に移動させるための操作（以下では、「点火操作」と呼ぶ）が実行されると、コンロバーナ１０が点火され、ユーザによって加熱量操作部１４ｂを点火位置から消火位置に移動させるための操作（以下では、「消火操作」と呼ぶ）が実行されると、コンロバーナ１０が消火される。点火位置とは、加熱量操作部１４ｂの前面が本体の前面４ａよりも前方に突出している位置であり、消火位置とは、加熱量操作部１４ｂが本体４内に収容されている位置である。なお、ユーザは、加熱量操作部１４ｂが点火位置に位置している状態において、加熱量操作部１４ｂを時計回り又は反時計回りに操作（以下では、「火力調整操作」と呼ぶ）することで、コンロバーナ１０の加熱量を調整することができる。
【００１７】
コンロパネル１８は、表示部１８ａと、操作部１８ｂと、を備える。表示部１８ａには、コンロバーナ１０の動作状態などが表示される。ユーザは、操作部１８ｂを操作することで、コンロバーナ１０によって加熱される調理容器の温度の設定などをすることができる。
【００１８】
本体４の前面４ａにおいてグリル扉８ａの左側には、グリル操作部２４と、グリルパネル２８と、が設けられている。グリル操作部２４は、グリルバーナ２０、２２の点火及び消火を行うとともに、グリルバーナ２０、２２の加熱量の調整を行うための操作部である。グリル操作部２４の構成は、コンロバーナ１０の加熱量操作部１４ｂと同様である。
【００１９】
グリルパネル２８は、表示部２８ａと、操作部２８ｂと、を備える。表示部２８ａには、グリルバーナ２０、２２の動作状態及び自動調理のメニュー情報などが表示される。ユーザは、操作部２８ｂを操作することで、メニュー情報の中から希望する調理情報を選択すること及び自動調理に関する設定（例えば加熱量、時間）を入力することなどができる。
【００２０】
図３に示すように、表面グリルバーナ２０は、グリル庫８内の天井（即ちグリル庫８内の焼き網８ｂの上側）に設けられている。また、裏面グリルバーナ２２は、グリル庫８内の底側（即ち焼き網８ｂの下側）に設けられている。表面グリルバーナ２０と裏面グリルバーナ２２のそれぞれには、ガス供給路（図示省略）が接続されている。表面グリルバーナ２０のガス供給路には、開閉弁として機能する電磁弁２１（図１参照）と、表面グリルバーナ２０へのガスの供給量を調整するための流量調整弁（図示省略）とが設けられている。裏面グリルバーナ２２のガス供給路にも、同様に、電磁弁２３（図１参照）と流量調整弁（図示省略）とが設けられている。グリル操作部２４で点火操作が実行されることによって、電磁弁２１、２３が開き、イグナイタ（図示省略）によってグリルバーナ２０、２２が点火する。また、グリル操作部２４で消火操作が実行されることによって、電磁弁２１、２３が閉じ、グリルバーナ２０、２２が消火する。
【００２１】
また、加熱調理器２は、制御部５０を備える。制御部５０は、メモリ５２と、タイマ５４と、を備える。制御部５０は、メモリ５２に記憶されているプログラム６０に従って、加熱調理器２の動作を制御する。例えば、制御部５０は、ユーザによってグリル操作部２４が操作されることに応じて、流量調整弁の開度を調整する。また、制御部５０は、後述の自動調理処理（図４）を実行する。
【００２２】
また、メモリ５２は、自動調理のメニュー情報６２を記憶する。メニュー情報６２は、複数種類の調理（例えば焼き魚、トースト）に対応する複数個の調理情報を含む。各調理情報は、対応する自動調理の工程（即ち加熱量、加熱時間）を示す。また、各調理情報は、追加加熱の工程を示す追加加熱情報も含む。なお、例えば、第１調理情報（例えば焼き魚）内の追加加熱情報と、第２調理情報（例えばトースト）内の追加加熱情報は、異なる。
【００２３】
また、加熱調理器２の電源（図示省略）は、乾電池である。加熱調理器２は、電源スイッチ１４ａが操作されることによって起動し、電源から各部に電力が供給される。また、加熱調理器２の電源は、電源から各部に電力が供給されている状態で、電源スイッチ１４ａが操作されることによって遮断される。また、加熱調理器２の電源は、電源から各部に電力が供給されており、かつ、全てのバーナ（即ち、コンロバーナ１０、グリルバーナ２０、２２）が消火している状態で、ユーザによる操作が実行されずに所定時間（例えば１分）が経過する場合に、自動的に遮断される。これにより、乾電池の電力消費を抑制することができる。なお、変形例では、加熱調理器２の電源は、商用電源であってもよい。
【００２４】
（自動調理処理；図４）
図４を参照して、制御部５０によって実行される自動調理処理について説明する。自動調理処理は、加熱調理器２の起動により開始する。
【００２５】
Ｓ１０では、制御部５０は、グリルパネル２８の表示部２８ａに表示されるメニュー情報６２の中から特定の調理情報（例えば焼き魚）が選択されることを監視する。制御部５０は、メニュー情報６２の中から特定の調理情報が選択される場合（Ｓ１０でＹＥＳ）に、Ｓ１２に進む。
【００２６】
Ｓ１２では、制御部５０は、グリル操作部２４に点火操作が実行されることによって点火指示が入力されることを監視する。制御部５０は、点火指示が入力される場合（Ｓ１２でＹＥＳ）に、Ｓ１４に進む。
【００２７】
Ｓ１４では、制御部５０は、Ｓ１０で選択された特定の調理情報に従った自動調理制御（即ちグリルバーナ２０、２２の加熱量と加熱時間の制御）を開始する。
【００２８】
Ｓ１６では、制御部５０は、Ｓ１４で開始した自動調理が終了することを監視する。制御部５０は、自動調理が終了する場合（Ｓ１６でＹＥＳ）に、Ｓ２０に進む。
【００２９】
Ｓ２０では、制御部５０は、電磁弁２１、２３を閉じて、グリルバーナ２０、２２を消火する。なお、現時点では、加熱量操作部１４ｂは点火位置に維持される。
【００３０】
Ｓ２２では、制御部５０は、追加加熱が実行可能であることをユーザに通知するための通知画面を表示部１８ａに表示する。
【００３１】
Ｓ２４では、制御部５０は、タイマ５４による計測（即ち計時）を開始する。そして、Ｓ３０では、制御部５０は、タイマ５４による計測時間が所定の待機時間（例えば１５秒）に達することを監視する。制御部５０は、計測時間が待機時間に達した場合（Ｓ３０でＹＥＳ）に、通知画面を削除して、Ｓ４２において、グリル操作部２４に消火操作と点火操作が実行されることによって、点火指示が入力されることを監視する。制御部５０は、点火指示が入力される場合（Ｓ４２でＹＥＳ）に、後述する追加加熱処理（Ｓ４０参照）を実行することなく、グリルバーナ２０、２２を点火して、加熱対象の加熱を開始し、消火操作の入力を監視するとともに、Ｓ１０に戻る。
【００３２】
また、制御部５０は、計測時間が待機時間に達するまでの間に、Ｓ３４の監視を実行する。Ｓ３４では、制御部５０は、グリル操作部２４に消火操作と点火操作が実行されることによって、追加加熱指示が入力されることを監視する。制御部５０は、追加加熱指示が入力される場合（Ｓ３４でＹＥＳ）に、電磁弁２１、２３を開いて、グリルバーナ２０、２２を点火し、Ｓ４０に進む。
【００３３】
Ｓ４０では、制御部５０は、後述する追加加熱処理（図５参照）を実行する。追加加熱処理が終了すると、Ｓ１０に戻る。なお、変形例では、Ｓ４０が終了した後に、Ｓ３０に戻ってもよい。これにより、２度目の追加加熱を実行することができる。
【００３４】
（追加加熱処理；図５）
図５を参照して、追加加熱処理（図４のＳ４０参照）について説明する。Ｓ５０では、制御部５０は、図４のＳ２４で開始された計時をリセットする（即ちカウントをゼロに戻し、再び計測を開始する）。
【００３５】
Ｓ６０では、制御部５０は、図４のＳ１０で選択された特定の調理情報から追加加熱情報を取得する。そして、制御部５０は、取得済みの追加加熱情報によって示されるデフォルトの消火時間（例えば３０秒）をグリルパネル２８の表示部２８ａに表示する。
【００３６】
Ｓ６２では、制御部５０は、グリルパネル２８の操作部２８ｂが操作されることによって、デフォルトの消火時間が変更（即ち延長又は短縮）されたのか否かを判断する。制御部５０は、デフォルトの消火時間が変更されたと判断する場合（Ｓ６２でＹＥＳ）に、Ｓ６４に進み、制御部５０は、デフォルトの消火時間が変更されないと判断する場合（Ｓ６２でＮＯ）に、Ｓ６８に進む。
【００３７】
Ｓ６４では、制御部５０は、計測時間が変更後の消火時間に達するのか否かを監視する。制御部５０は、計測時間が変更後の消火時間に達する場合（Ｓ６４でＹＥＳ）に、Ｓ６６に進む。Ｓ６６では、制御部５０は、電磁弁２１、２３を閉じて、グリルバーナ２０、２２を消火し、図５の処理が終了する。
【００３８】
また、Ｓ６８では、制御部５０は、計測時間がデフォルトの消火時間に達するのか否かを監視する。制御部５０は、計測時間がデフォルトの消火時間に達する場合（Ｓ６８でＹＥＳ）に、Ｓ７０に進む。Ｓ７０は、Ｓ６６と同様である。これにより、図５の処理が終了する。
【００３９】
（本実施例の効果）
上記の構成によれば、加熱調理器２は、追加加熱指示が入力される場合（図４のＳ３４）に、メニュー情報６２の中から選択された特定の調理情報に含まれる追加加熱情報によって示されるデフォルトの消火時間又は変更後の消火時間に従って、追加加熱を実行する（図５のＳ６２〜Ｓ７０）。これにより、ユーザによって選択された特定の調理情報の内容に従った適切な消火時間で、追加加熱を実行することができる。この結果、ユーザが何ら基準を持たないままに追加加熱の時間を自由に設定する構成（以下では、「比較例」と記載）と比較して、追加加熱によって自動調理が失敗することを抑制することができる。特に、近年、グリル庫８内で調理を実行する際に、具材の上下を覆うプレート（図示省略）が利用される。この場合、ユーザは、自動調理の終了後に、グリル庫８を開けても、プレートによって具材の焼き加減を見ることができない。比較例では、焼き加減を見て追加加熱の時間を調整するのが一般的である。このため、比較例においてプレートが利用される場合には、ユーザは焼き加減を見ることができず、ユーザが適切な時間を設定することができず、自動調理が失敗する可能性が高まる。これに対して、本実施例の構成によれば、ユーザが焼き加減を見なくても、適切な消火時間で追加加熱を実行することができるので、自動調理が失敗することを抑制することができる。
【００４０】
また、上記の構成によれば、自動調理を開始するための点火指示（図４のＳ１２）と、追加加熱を開始するための追加加熱指示（Ｓ３４）と、を同じグリル操作部２４を操作することによって入力することができる。ユーザの利便性が向上する。
【００４１】
また、上記の構成によれば、加熱調理器２は、計測時間が待機時間に達するまでの間に、図４のＳ３４の監視を実行する。これにより、加熱調理器２は、計測時間が待機時間に達するまでは、追加加熱指示の入力を待機することができ（Ｓ３４でＹＥＳ）、計測時間が待機時間に達した後には、追加加熱の指示は入力されないと判断して、追加加熱によらず、加熱対象の加熱を実行することができる（Ｓ４２でＹＥＳ）。
【００４２】
（対応関係）
グリル庫８が、「収容庫」の一例である。表面グリルバーナ２０及び裏面グリルバーナ２２が、「加熱部」の一例である。グリル操作部２４、制御部５０、タイマ５４、メニュー情報６２が、それぞれ、「操作部」、「制御部」、「計時手段」、「メニュー情報」の一例である。図４のＳ１２の点火指示、Ｓ３４の追加加熱指示が、それぞれ、「開始指示」、「追加加熱指示」の一例である。消火指示が、「停止指示」の一例である。待機時間が、「第１時間」の一例である。
【００４３】
（第２実施例）
第２実施例は、追加加熱処理においてＳ５０の後にＳ５２及びＳ５４の処理が追加されることを除き、第１実施例と同様である。
【００４４】
（追加加熱処理；図５）
Ｓ５２では、制御部５０は、追加加熱の加熱量を決定する。具体的には、制御部５０は、取得済みの追加加熱情報によって示される３段階の加熱量（例えば、「弱」、「中」、「強」）をグリルパネル２８の表示部２８ａに表示する。制御部５０は、グリルパネル２８の操作部２８ｂが操作されることによって、３段階の加熱量のうちのいずれかが選択される場合には、選択済みの加熱量を追加加熱の加熱量として決定する。なお、仮に、操作部２８ｂが操作されない場合には、制御部５０は、例えば、加熱量「中」を追加加熱の加熱量として決定する。そして、制御部５０は、決定済みの加熱量に従って、グリルバーナ２０、２２の加熱量を調整する（即ち流量調整弁を制御する）。これにより、ユーザの好みに応じて、追加加熱の加熱量を調整することができる。
【００４５】
Ｓ５４では、制御部５０は、追加加熱の加熱箇所を決定する。具体的には、制御部５０は、３パターンの加熱箇所（即ち、「両面」、「表面」、「裏面」）をグリルパネル２８の表示部２８ａに表示する。制御部５０は、操作部２８ｂが操作されることによって、３パターンの加熱箇所のうちのいずれかが選択される場合には、選択済みの加熱箇所を追加加熱の加熱箇所として決定する。なお、仮に、操作部２８ｂが操作されない場合には、制御部５０は、例えば、加熱箇所「両面」を追加加熱の加熱箇所として決定する。ここで、加熱箇所「両面」が選択される場合には、制御部５０は、電磁弁２１、２３が開いている状態を維持する。また、加熱箇所「表面」が選択される場合には、制御部５０は、表面グリルバーナ２０の電磁弁２１が開いている状態を維持する一方、裏面グリルバーナ２２の電磁弁２３を閉じる。また、加熱箇所「裏面」が選択される場合には、制御部５０は、裏面グリルバーナ２２の電磁弁２３が開いている状態を維持する一方、表面グリルバーナ２０の電磁弁２１を閉じる。これにより、ユーザの好みに応じて、追加加熱をすべき加熱箇所を調整することができる。
【００４６】
（第３実施例）
第３実施例は、電源スイッチ１４ａを備えず、かつ、加熱調理器２の電源に関する処理が異なる点を除いて、第１実施例と同様である。本実施例では、加熱調理器２は、コンロ操作部１４又はグリル操作部２４に点火操作が実行されること、若しくは、コンロパネル１８又はグリルパネル２８が操作されることによって起動する。また、加熱調理器２の電源は、コンロバーナ１０又はグリルバーナ２０、２２が点火している状態でコンロ操作部１４又はグリル操作部２４に消火操作が実行されることによって遮断される。
【００４７】
本実施例でも、図４の自動調理処理が実行される。ここで、制御部５０は、自動調理が終了する場合（Ｓ１６でＹＥＳ）に、グリルバーナ２０、２２を消火する（Ｓ２０）。この場合に、本実施例では、制御部５０は、グリルバーナ２０、２２を消火するものの、加熱調理器２の電源を遮断することなく、電源から各部への給電を維持する。そして、制御部５０は、Ｓ３４の追加加熱指示又はＳ４２の点火指示が入力されることなく、計測時間が所定の最大時間（例えば１分）に達する場合に、加熱調理器２の電源を自動で遮断する。即ち、加熱調理器２は、自動調理が終了し、グリルバーナ２０、２２を消火する場合に、加熱調理器２の電源を遮断することなく、電源から各部への給電を維持する。そして、給電の維持は、最大で、計測時間が最大時間に達するまで継続する。これにより、最大時間の間、追加加熱指示の入力を待機することができる。上記の最大時間が、「第２時間」の一例である。
【００４８】
以上、各実施例について詳細に説明したが、これらは例示に過ぎず、特許請求の範囲を限定するものではない。特許請求の範囲に記載の技術には、以上に例示した具体例を様々に変形、変更したものが含まれる。上記の各実施例の変形例を以下に列挙する。
【００４９】
（変形例１）「加熱調理器」は、ガス燃焼式のビルトインコンロに限らず、例えば、ＩＨ調理器、電気オーブンでもよい。本変形例によれば、ＩＨ調理器のグリル庫又は電気オーブンの収容庫が、「収容庫」の一例である。
【００５０】
（変形例２）図４のＳ２０の処理は実行されなくてもよい。即ち、自動調理が終了した後に、グリルバーナ２０、２２を消火することなく、追加加熱処理が実行されてもよい。
【００５１】
（変形例３）追加加熱指示は、グリル操作部２４に限らず、例えば、グリルパネル２８の操作部２８ｂが操作されることによって入力されてもよい。一般的に言えば、開始指示と追加加熱指示は、異なる操作部が操作されることによって入力されてもよい。
【００５２】
（変形例４）図４のＳ３０の判断は実行されなくてもよい。例えば、制御部５０は、Ｓ２４の後に、計測時間が所定時間（例えば１分）に達することを監視し、計測時間が所定時間に達するまでの間に、追加加熱指示が入力されることを監視してもよい。そして、制御部５０は、計測時間が所定時間に達した場合に、Ｓ１０に戻ってもよい。本変形例では、「第１時間」を省略可能である。
【００５３】
（変形例５）上記の各実施例では、制御部５０は、通知画面を表示する（図４のＳ２２）。これに代えて、通知画面は表示されなくてもよい。また、他の変形例として、制御部５０は、追加加熱を実行することをユーザに確認するための確認画面を表示部１８ａに表示してもよい。そして、制御部５０は、確認画面内のＹＥＳボタンが選択され、かつ、追加加熱指示が入力される場合に、Ｓ４０の追加加熱処理を実行してもよい。さらに、制御部５０は、確認画面内のＮＯボタンが選択される場合に、Ｓ４２に進んでもよい。
【００５４】
（変形例６）上記の各実施例では、図４のＳ１２の点火指示は、グリル操作部２４に点火操作が実行されることによって入力され、Ｓ３４の追加加熱指示は、グリル操作部２４に消火操作と点火操作が実行されることによって入力される（図４のＳ３４）。これに代えて、点火指示及び追加加熱指示は、グリルパネル２８の操作部２８ｂで同じ操作が実行されることによって入力されてもよい。また、他の変形例として、グリル操作部２４は、グリルバーナ２０、２２が消火されると、点火位置から消火位置に自動的に移動してもよい。そして、追加加熱指示は、グリル操作部２４に点火操作のみが実行されることによって入力されてもよい。これら変形例では、操作部２８ｂ又はグリル操作部２４が、「操作部」の一例である。
【００５５】
（変形例７）図５のＳ５２及びＳ５４のいずれか一方の処理は実行されなくてもよい。本変形例では、「加熱量」の入力及び「加熱箇所を示す情報」の入力のいずれか一方を省略可能である。
【００５６】
（変形例８）図５のＳ６２の処理は実行されなくてもよい。この場合、制御部５０は、Ｓ５０の後に、Ｓ６８及びＳ７０を実行すればよい。
【００５７】
（変形例９）上記の各実施例では、調理情報は追加加熱情報を含む。これに代えて、調理情報は追加加熱情報を含まず、制御部５０は、特定の調理情報によって示される加熱量から追加加熱の加熱量を算出し、さらに、特定の調理情報によって示される加熱時間から追加加熱の加熱時間を算出してもよい。本変形例によれば、算出済みの加熱量及び加熱時間が、「特定の調理情報を用いて得られる追加加熱情報」の一例である。
【００５８】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５９】
２：加熱調理器、４：本体、４ａ：前面、６：天板、８：グリル庫、８ａ：グリル扉、８ｂ：焼き網、１０：コンロバーナ、１４：コンロ操作部、１４ａ：電源スイッチ、１４ｂ：加熱量操作部、１８：コンロパネル、１８ａ：表示部、１８ｂ：操作部、２０：表面グリルバーナ、２１：電磁弁、２２：裏面グリルバーナ、２３：電磁弁、２４：グリル操作部、２８：グリルパネル、２８ａ：表示部、２８ｂ：操作部、５０：制御部、５２：メモリ、５４：タイマ、６０：プログラム、６２：メニュー情報
【図１】
2020186898.tif 000003
【図２】
2020186898.tif 000004
【図３】
2020186898.tif 000005
【図４】
2020186898.tif 000006
【図５】
2020186898.tif 000007